(57)【要約】【課題】  比較的簡便な構造でありながら、隠匿情報を不可視の状態で確実に郵送可能な隠匿ハガキを提供すること。【解決手段】  個人情報などの隠匿情報が記載され、かつ上記隠匿情報が不可視の状態で郵送可能とされた隠匿ハガキＡ１であって、互いのサイズが同一であり、かつミシン目１１を介して連結された矩形状の第１紙片１Ａおよび第２紙片１Ｂを備えており、第１紙片１Ａおよび第２紙片１Ｂの表面１Ａａ，１Ｂａには、剥離後に再接着可能であり、かつ筆記具による記入が可能とされた再接着糊４が塗布されており、第１紙片１Ａおよび第２紙片１Ｂの少なくとも一方の表面１Ａａ，１Ｂａには、上記隠匿情報が記載される隠匿情報領域２が設定されており、第１紙片１Ａまたは第２紙片１Ｂの裏面には、宛先が記載される宛先領域が設定されており、第１紙片１Ａにはその一部を切り取ることが容易とされた切り取り容易部１２が形成されている。【選択図】  図２
2007062039.tif 000002
【特許請求の範囲】
【請求項１】
個人情報などの隠匿情報が記載され、かつ上記隠匿情報が不可視の状態で郵送可能とされた隠匿ハガキであって、
互いのサイズが同一であり、かつ折り曲げ容易部を介して連結された矩形状の第１紙片および第２紙片を備えており、
上記第１紙片および上記第２紙片の表面には、剥離後に再接着可能であり、かつ筆記具による記入が可能とされた再接着糊が塗布されており、
上記第１紙片および上記第２紙片の少なくとも一方の表面には、上記隠匿情報が記載される隠匿情報領域が設定されており、
上記第１紙片または上記第２紙片の裏面には、宛先が記載される宛先領域が設定されており、
上記第１紙片にはその一部を切り取ることが容易とされた切り取り容易部が形成されていることを特徴とする、隠匿ハガキ。
【請求項２】
上記切り取り容易部は、上記第１紙片の一部を帯状に切り取ることが可能に構成されている、請求項１に記載の隠匿ハガキ。
【請求項３】
上記切り取り容易部は、上記第１紙片の一部を上記折り曲げ容易部に直交する方向に延びる帯状に切り取ることを可能とする複数のスリットからなり、かつ、上記複数のスリットは、上記第１紙片の４辺のうち上記第２紙片には連結されていない３辺に対して上記第１紙片内方に離間している、請求項２に記載の隠匿ハガキ。
【請求項４】
上記第１紙片または上記第２紙片のいずれか一方と追加の折り曲げおよび切断の双方が容易である折り曲げ切断容易部を介して連結されており、かつ上記第１紙片および上記第２紙片と直列配置された第３紙片をさらに備えており、
上記第３紙片の表面には、上記再接着糊が塗布されており、
上記第３紙片は、そのサイズが上記第１紙片および上記第２紙片のサイズよりも小とされている、請求項１ないし３のいずれかに記載の隠匿ハガキ。
【請求項５】
上記第３紙片の裏面には、往信用の宛先が記載される往信用宛先領域が設定されており、
上記第１紙片または上記第２紙片の裏面には、返信用の宛先が記載される返信用宛先領域が設定されている、請求項４に記載の隠匿ハガキ。
【発明の詳細な説明】
【技術分野】
【０００１】
本発明は、個人情報などの隠匿情報を不可視の状態で郵送するための隠匿ハガキに関する。
【背景技術】
【０００２】
従来の隠匿ハガキとしては、図１７に示すものがある。同図に示された隠匿ハガキＸは、ミシン目９１ａを介して連結された第１紙片９１Ａおよび第２紙片９１Ｂと、隠匿ラベル９２とを備えており、いわゆる往復ハガキとして構成されている。第１紙片９１Ａの表面には、往信用の宛先９４が印刷されている。また、第１紙片９１Ａの表面下端側には剥離剤９３が塗布されている。剥離剤９３上には、隠匿ラベル９２が貼付されている。
【０００３】
隠匿ハガキＸの受取人は、第２紙片９１Ｂの表面下端側に位置する隠匿情報領域９５に個人情報などの隠匿情報を記載する。次いで、隠匿ラベル９２を剥離剤９３から剥離し、隠匿ラベル９２を隠匿情報領域９５に貼付する。そして、第１紙片９１Ａと第２紙片９１Ｂとをミシン目９１ａに沿って分離する。切り取った第２紙片９１Ｂの裏面には、あらかじめ返信用の宛先が印刷されている。第２紙片９１Ｂを投函することにより、隠匿情報領域９５を不可視の状態で返信することができる。
【０００４】
【特許文献１】特開平１１−２４５５６０号公報
【発明の開示】
【発明が解決しようとする課題】
【０００５】
しかしながら、隠匿ハガキＸには、以下のような問題があった。
【０００６】
隠匿ラベル９２は、第１紙片９１Ａのうち少なくとも往信用の宛先９４を印刷するためのスペースを除いた大きさよりも小さくせざるを得ない。隠匿情報領域９５は、隠匿ラベル９２により完全に覆われる必要がある。このため、隠匿情報領域９５の大きさは、第２紙片９１Ｂのたとえば１／３程度となる。したがって、隠匿情報領域９５に記載可能な隠匿情報の量が不当に制限されてしまう。特に近年は、個人情報として、E-mailアドレスなどが加わっている。隠匿ハガキＸでは、隠匿情報量の増加に適切に対応できない。
【０００７】
隠匿情報領域９５は、第２紙片９１Ｂの素材がむき出し状態であり、糊などは塗布されていない。このため、隠匿ラベル９２の貼付は、隠匿ラベル９２の裏面に塗布された再剥離糊（図示略）のみによってなされる。隠匿ラベル９２は、郵送過程においては、剥離しにくい一方、返信が完了したときには上記隠匿情報を鮮明に残存させた状態で容易に剥離可能である必要がある。隠匿ラベル９２と隠匿情報領域９５との貼付を、片面のみに塗布された上記再剥離糊により達成することは比較的困難である。接着力が弱いと、郵送途中に隠匿ラベル９２が誤って剥離し、個人情報などの上記隠匿情報が漏洩する危険性がある。一方、接着力が強すぎると、返信完了後に隠匿ラベル９２を剥離する際に、上記隠匿情報の一部を消失させてしまうおそれがある。
【０００８】
隠匿ハガキＸには、情報伝達という主たる機能を発揮するための第１紙片９１Ａおよび第２紙片９１Ｂに加えて、隠匿情報を不可視とするための隠匿ラベル９２や剥離剤９３が必要である。これは、隠匿ハガキＸの製造コストを増大させる一因となる。
【０００９】
本発明は、上記した事情のもとで考え出されたものであって、比較的簡便な構造でありながら、隠匿情報を不可視の状態で確実に郵送可能な隠匿ハガキを提供することをその課題とする。
【課題を解決するための手段】
【００１０】
上記課題を解決するため、本発明では、次の技術的手段を講じている。
【００１１】
本発明によって提供される隠匿ハガキは、個人情報などの隠匿情報が記載され、かつ上記隠匿情報が不可視の状態で郵送可能とされた隠匿ハガキであって、互いのサイズが同一であり、かつ折り曲げ容易部を介して連結された矩形状の第１紙片および第２紙片を備えており、上記第１紙片および上記第２紙片の表面には、剥離後に再接着可能であり、かつ筆記具による記入が可能とされた再接着糊が塗布されており、上記第１紙片および上記第２紙片の少なくとも一方の表面には、上記隠匿情報が記載される隠匿情報領域が設定されており、上記第１紙片または上記第２紙片の裏面には、宛先が記載される宛先領域が設定されており、上記第１紙片にはその一部を切り取ることが容易とされた切り取り容易部が形成されていることを特徴としている。
【００１２】
このような構成によれば、上記第１紙片および上記第２紙片を上記再接着糊により互いにずれることなく接着することができる。この接着状態においては、上記第１紙片および上記第２紙片には、たとえば爪などをひっかけるのに適した端縁がない。このため、上記第１紙片および上記第２紙片を剥離させることを困難とすることができる。また、上記切り取り容易部を利用して上記第１紙片の一部を切り取ると剥離容易となり不正な閲覧が可能となるが、その痕跡が明確に残存することとなる。したがって、上記隠匿情報領域に記入された上記隠匿情報を不可視の状態で適切に郵送するとともに、不正な閲覧を未然に抑止する効果が得られる。一方、上記隠匿ハガキの正当な受取人は、上記切り取り容易部を利用して上記第１紙片の一部を切り取れば、上記第１紙片を容易に剥離することが可能であり、上記隠匿情報を適切に確認することができる。
【００１３】
本発明の好ましい実施の形態においては、上記切り取り容易部は、上記第１紙片の一部を帯状に切り取ることが可能に構成されている。このような構成によれば、上記第１紙片の一部の切り取りを容易に行うことができる。また、上記第１紙片を剥離しやすいという利点がある。
【００１４】
本発明の好ましい実施の形態においては、上記切り取り容易部は、上記第１紙片の一部を上記折り曲げ容易部に直交する方向に延びる帯状に切り取ることを可能とする複数のスリットからなり、かつ、上記複数のスリットは、上記第１紙片の４辺のうち上記第２紙片には連結されていない３辺に対して上記第１紙片内方に離間している。このような構成によれば、上記隠匿ハガキの郵送中においては、上記切り取り容易部には爪などを引っ掛けることが困難な状態とすることができる。したがって、上記切り取り容易部を利用して、不正な閲覧がなされることを防止することができる。
【００１５】
本発明の好ましい実施の形態においては、上記第１紙片または上記第２紙片のいずれか一方と追加の折り曲げおよび切断の双方が容易である折り曲げ切断容易部を介して連結されており、かつ上記第１紙片および上記第２紙片と直列配置された第３紙片をさらに備えており、上記第３紙片の表面には、上記再接着糊が塗布されており、上記第３紙片は、そのサイズが上記第１紙片および上記第２紙片のサイズよりも小とされている。このような構成によれば、上記隠匿ハガキをいわゆる往復ハガキとして利用することができる。
【００１６】
本発明の好ましい実施の形態においては、上記第３紙片の裏面には、往信用の宛先が記載される往信用宛先領域が設定されており、上記第１紙片または上記第２紙片の裏面には、返信用の宛先が記載される返信用宛先領域が設定されている。このような構成によれば、往信時には、上記第３紙片の上記裏面を露出するように上記隠匿ハガキを折りたたむことにより往信ハガキの形態とすることが可能である。一方、上記第３紙片を切り取った後に上記第１紙片および上記第２紙片の上記裏面が露出するように折りたたむと、返信ハガキの形態とすることが可能である。
【００１７】
本発明のその他の特徴および利点は、添付図面を参照して以下に行う詳細な説明によって、より明らかとなろう。
【発明を実施するための最良の形態】
【００１８】
以下、本発明の好ましい実施の形態につき、図面を参照して具体的に説明する。
【００１９】
図１および図２は、本発明に係る隠匿ハガキの第１実施形態を示している。本実施形態の隠匿ハガキＡ１は、第１紙片１Ａおよび第２紙片１Ｂを備えている。図１は、第１紙片１Ａおよび第２紙片１Ｂそれぞれの裏面１Ａｂ，１Ｂｂを示している。図２は、第１紙片１Ａおよび第２紙片１Ｂそれぞれの表面１Ａａ，１Ｂａを示している。
【００２０】
第１紙片１Ａおよび第２紙片１Ｂは、いずれも矩形状であり、互いのサイズが同一とされている。第１紙片１Ａおよび第２紙片１Ｂのサイズは、日本国内における官製ハガキのサイズとされている。第１紙片１Ａと第２紙片１Ｂとは、ミシン目１１を介して連結されている。ミシン面１１は、本発明でいう折り曲げ容易部の一例であり、このミシン目１１に沿って第１紙片１Ａと第２紙片１Ｂとがぴったり重なり合うように折り曲げることができる。
【００２１】
第１紙片１Ａには、２つの切り取り容易部１２が形成されている。２つの切り取り容易部１２は、第１紙片１Ａの図中上下端寄りに配置されており、それぞれが複数のスリットからなる。図１に示すように、上記複数のスリットのうち図中左端のスリットは、Ｒ形状のコの字状とされている。このコの字状のスリットは、その中辺がミシン目１１と同一直線状とされている。上記コの字状のスリットからは、図中上下に離間した複数のスリット対が図中左右方向に配列されている。これらのスリットは、いずれも第１紙片１Ａの上下辺および右辺には到達しておらず、第１紙片１Ａ内方に離間している。
【００２２】
図１に示すように、第１紙片１Ａの裏面１Ａｂには、宛先が印刷された宛先領域３が設定されている。図２に示すように、第２紙片１Ｂの表面１Ｂａの図中斜線部には、隠匿情報を記入するための隠匿情報領域２が設定されている。隠匿情報領域２には、発送人が記入すべき個人情報などの隠匿情報の記入を補助する説明文や、罫線などが印刷されている。なお、本実施形態とは異なり、宛先領域３を第２紙片１Ｂの裏面１Ｂｂに設定してもよい。また、隠匿情報領域２を第１紙片１Ａの表面１Ａａに設定してもよい。図１に示す第２紙片１Ｂの裏面１Ｂｂには、たとえば企業の広告を印刷することができる。また、図２に示す第１紙片１Ａの表面１Ａｂには、隠匿情報領域２への記入要領を印刷してもよい。
【００２３】
図２に示すように第１紙片１Ａおよび第２紙片１Ｂの表面には、再剥離糊４が塗布されている。再剥離糊４は、ミシン目１１に沿って第１紙片１Ａを第２紙片１Ｂ側に折り返した状態で、これらを手作業により接着可能な糊である。また、接着した後であっても、第１紙片１Ａと第２紙片１Ｂとが部分的にずれた箇所があれば、手作業により剥離可能である。さらに、いったん剥離した後であっても、手作業により再接着が可能とされている。このように再剥離糊４は、接着および剥離を複数回ずつ繰り返すことが可能に構成されている。このような再剥離糊４は、天然ゴムを主成分とする糊、たとえば、サイデン化学株式会社製のエマルジョン型糊（品種：加圧No.12）を用いて、グラビア・フレキソ表面加工機により、水２：糊１の比率で塗布することにより形成することができる。
【００２４】
次に、隠匿ハガキＡ１の使用方法について、図３〜図６を参照しつつ説明する。
【００２５】
顧客の個人情報などを入手するために企業が隠匿ハガキＡ１を利用する場合、まず、この企業から上記顧客に隠匿ハガキＡ１が渡される。隠匿ハガキＡ１は、封書に同封されて、あるいは直接上記顧客に渡される。
【００２６】
隠匿ハガキＡ１を受け取った上記顧客は、図３に示すように、隠匿情報領域２に隠匿情報２１を記入する。隠匿情報２１の記入は、ボールペンなどの一般的な筆記具を用いて、実質的には隠匿情報領域２を覆う再接着糊４に対してなされる。隠匿情報２１の記入を終えると、上記顧客は、ミシン目１１に沿って隠匿ハガキＡ１を折りたたむ。これにより、図４に示すように、第１紙片１Ａと第２紙片１Ｂとが、互いの裏面１Ａｂ，１Ｂｂが対向するように重なり合う。そして、たとえば机上において手作業で加圧することにより、第１紙片１Ａと第２紙片１Ｂとを接着する。この接着された状態で、隠匿ハガキＡ１を発送する。
【００２７】
上記企業は、顧客が発送した隠匿ハガキＡ１を受け取ると、図５に示すように、いずれかの切り取り容易部１２を利用して、第１紙片１Ａの一部を帯状片１２ａとして切り取る。これにより、第２紙片１Ｂの表面１Ｂａの一部が露出した状態となる。次いで、帯状片１２ａの切り取りにより第１紙片Ａに生じた端縁に爪を引っ掛けるなどすることにより、図６に示すように、第１紙片１Ａを第２紙片１Ｂから剥離する。以上の作業の結果、上記企業は、上記顧客が記入した個人情報などの隠匿情報２１を読み取ることができる。
【００２８】
次に、隠匿ハガキＡ１の作用について説明する。
【００２９】
本実施形態によれば、図４に示すように、郵送中においては、第１紙片１Ａおよび第２紙片１Ｂの端縁どうしが正確に一致した状態となる。第１紙片１Ａおよび第２紙片１Ｂを剥離しようとしても、第１紙片１Ａおよび第２紙片１Ｂには爪などを引っ掛けるのに適した端縁が存在しない。このため、第１紙片１Ａおよび第２紙片１Ｂを剥離困難な状態で郵送することができる。また、郵送中に切り取り容易部１２を利用して第１紙片１Ａの一部を切り取ると、図５に示すように、帯状片１２ａが切り取られた痕跡が明確に残存する。これにより、不正な閲覧を未然に防止する効果が期待できる。一方、隠匿ハガキＡ１の正当な受取人は、図５および図６に示すように切り取り容易部１２を利用して帯状片１２ａを切り取れば、第１紙片１Ａを容易に剥離することが可能であり、隠匿情報２１を適切に確認することができる。
【００３０】
図４に示すように、郵送中においては、切り取り容易部１２を形成する複数のスリットは、第１紙片１Ａの右辺および上下辺のいずれにも到達していない。これは複数のスリットに爪を引っ掛けるなどして不正に剥離することを防止するのに適している。また、複数のスリットのうち図中左方にあるコの字状のスリットは、第１紙片１Ａと第２紙片１Ｂとの折り目に接しているだけである。このスリットに爪を引っ掛けても第１紙片１Ａを展開するように第２紙片１Ｂから剥離することは不可能である。一方、図５に示すように、隠匿ハガキＡ１の受取人は、上記コの字状のスリットに爪を引っ掛けることにより、帯状片１２ａを容易に切り取ることができる。したがって、郵送中の不正な剥離および閲覧を未然に防止しつつ、正当な受取人が容易に剥離するのに好適である。
【００３１】
本実施形態の再接着糊４は、手作業による接着および剥離が可能である。したがって、接着作業のための専用の機械などは不要である。また、最接着糊４は、ボールペンなどの一般的な筆記具により記入可能とされており、接着後に剥離しても記入内容が乱れることがない。したがって、隠匿ハガキＡ１を用いた隠匿情報のやり取りを行うのに便利である。
【００３２】
本実施形態によれば、たとえば隠匿ラベルなど隠匿情報領域２を不可視とするための専用のラベルなどが不要である。これは、隠匿ハガキＡ１の製造コスト低減に有利である。
【００３３】
図７および図８は、本発明に係る隠匿ハガキの第２実施形態を示している。本実施形態の隠匿ハガキＡ２は、第３紙片１Ｃを備えることにより、いわゆる往復ハガキとして構成されている点が、上述した第１実施形態と異なっている。なお、図７以降の図面においては、上記実施形態と同一または類似の要素には、上記実施形態と同一の符号を付しており、適宜説明を省略する。
【００３４】
隠匿ハガキＡ２は、第１紙片１Ａ、第２紙片１Ｂ、および第３紙片１Ｃを備えている。第１紙片１Ａ、第２紙片１Ｂ、および第３紙片１Ｃは、ミシン目１１を介して直列に連結されている。第３紙片１Ｃは、その図中幅および高さが第１紙片１Ａおよび第２紙片１Ｂとほぼ同一とされている。第３紙片１Ｃの図７における図中左下隅には、斜辺１Ｃｃが形成されている。第３紙片１Ｃの面積は、斜辺１Ｃｃが形成されている分だけ、第１紙片１Ａおよび第２紙片１Ｂの面積よりも小となっている。また、２つのミシン目１１は、ともに同一の構成であるが、図７における図中左方のミシン目１１は、後述するように本願発明でいう切り取り切断容易部として設けられている。
【００３５】
図７に示すように、第３紙片１Ｃの裏面１Ｃｂには、往信用の宛先が印刷された往信用宛先領域３Ａが設定されている。第１紙片１Ａの裏面１Ａｂには、返信用の宛先が印刷された返信用宛先領域３Ｂが設定されている。図８に示すように、表面１Ａａ，１Ｂａ，１Ｃａには、再接着糊４が塗布されている。
【００３６】
次に、隠匿ハガキＡ２の使用方法について、図９〜図１６を参照しつつ説明する。
【００３７】
顧客の個人情報などを入手するために企業が隠匿ハガキＡ２を利用する場合、まず、この企業から上記顧客に隠匿ハガキＡ２が郵送される。図９に示すように、第３紙片１Ｃをミシン目１１に沿って表面１Ｂａ，１Ｃａが対向するように折り曲げる。そして、第３紙片１Ｃを第２紙片１Ｂに対して手作業により押し付けることにより、表面１Ｂａ，１Ｃａに塗布された再接着糊どうしが圧着され、第２紙片１Ｂと第３紙片１Ｃとが接着される。一方、第１紙片１Ａをミシン目１１に沿って裏面１Ａｂ，１Ｂｂが対向するように折り曲げる。以上の作業により、図１０、図１１に示す往信ハガキの形態となる。
【００３８】
上記往信ハガキの形態においては、往信用宛先領域３Ａが表側に面しており、視認可能となっている。一方、返信用宛先領域３Ｂは、第１紙片１Ａおよび第２紙片１Ｂに挟まれた格好となり、容易には視認されない状態となっている。また、隠匿情報領域２は、互いに接着された第２紙片１Ｂおよび第２紙片１Ｃに挟まれた格好となり不可視状態となっている。また、図１０に示すように、図中左下隅には、第２紙片１Ｂの表面１Ｂａの一部が露出している。上記企業は、この往信ハガキの形態となった隠匿ハガキＡ２を投函し、上記顧客へと郵送する。
【００３９】
往信ハガキの形態となった隠匿ハガキＡ２を受け取った上記顧客は、図１２に示すように、隠匿ハガキＡ２を展開する。第３紙片１Ｃを剥離するには、斜辺１Ｃｃにたとえば爪を引っ掛けることにより行えばよい。第３紙片１Ｃのすべてを剥離するとともに第１紙片１Ａを開くと、隠匿ハガキＡ２を図８に示す状態に展開できる。この状態で、上記顧客は、個人情報などの隠匿情報２１を隠匿情報領域２に記入する。
【００４０】
隠匿情報２１の記入が完了すると、図１３に示すように、第３紙片１Ｃをミシン目１１に沿って切り取る。ミシン目１１は、複数のスリットからなるため、紙片の折り曲げだけでなく、紙片を切断することを容易とする機能を発揮する。また、第１紙片１Ａを折り返した後に、第１紙片１Ａを第２紙片１Ｂに対して手作業により押し付け、互いに接着する。これらにより、図１４に示す返信用ハガキＡ２’が形成される。返信ハガキＡ２’においては、隠匿情報領域２は不可視の状態とされている。上記顧客は返信ハガキＡ２’を投函し、上記企業へと返送する。
【００４１】
返信ハガキＡ２’を受け取った上記企業は、図１５に示すように、切り取り容易部１２を利用して帯状片１２ａを切り取る。そして、この切り取りにより第１紙片１Ａに生じた端縁に爪を引っ掛けるなどして、第１紙片１Ａと第２紙片１Ｂとを剥離する。この作業により、図１６に示すように、隠匿情報領域２が視認可能な状態となり、上記顧客の個人情報などの隠匿情報２１を確認することができる。
【００４２】
このような実施形態によれば、第３紙片を活用して、往信ハガキの形態と返信ハガキの形態とを適切かつ容易に実現することができる。また、郵送中に隠匿情報領域２を不可視状態とすることに加えて、不正な閲覧を未然に防止できる点は、上述した第１実施形態と同様である。返信用宛先領域３Ｂを第２紙片１Ｂの裏面１Ｂｂに設定してもよい点、および隠匿情報領域２を第１紙片１Ａの表面１Ａａに設定してもよい点についても、上述した第１実施形態と同様である。
【００４３】
斜辺１Ｃｃを形成することにより、第３紙片１Ｃは、第１紙片１Ａおよび第２紙片１Ｂよりも小サイズとなっている。図１０に示すように往信ハガキの形態とされたときには、第２紙片１Ｂの表面１Ｂａの一部が露出した状態となり、斜辺１Ｃｃに爪を引っ掛けやすい。これは、上記顧客の剥離作業を容易とするのに適している。
【００４４】
本発明に係る隠匿ハガキは、上述した実施形態に限定されるものではない。本発明に係る隠匿ハガキの各部の具体的な構成は、種々に設計変更自在である。
【００４５】
第１紙片１Ａ、第２紙片１Ｂ、および第３紙片１Ｃの形状は、日本国内における官製ハガキの形状とすることが便利であるが、これ以外の形状であってもよい。切り取り容易部１２により切り取られる部分の形状は、上述した帯状片１２ａに限定されず、帯状片１２ａと直交する方向に延びる帯状片や、矩形領域、円形領域、三角領域など、剥離を容易とする形状であればよい。第３紙片１Ｃに斜辺１Ｃｃを形成することに代えて、第３紙片１Ｃの幅あるいは長さが第１紙片１Ａおよび第２紙片１Ｂよりも短い構成としてもよい。
【図面の簡単な説明】
【００４６】
【図１】本発明に係る隠匿ハガキの第１実施形態の裏面を示す全体平面図である。
【図２】本発明に係る隠匿ハガキの第１実施形態の表面を示す全体平面図である。
【図３】本発明に係る隠匿ハガキの第１実施形態の使用方法において、第１紙片と第２紙片とを接着する作業を示す全体斜視図である。
【図４】本発明に係る隠匿ハガキの第１実施形態の使用方法において、郵送中の状態を示す全体平面図である。
【図５】本発明に係る隠匿ハガキの第１実施形態の使用方法において、帯状片を切り取る作業を示す全体斜視図である。
【図６】本発明に係る隠匿ハガキの第１実施形態の使用方法において、隠匿情報領域が視認可能である状態を示す全体平面図である。
【図７】本発明に係る隠匿ハガキの第２実施形態の裏面を示す全体平面図である。
【図８】本発明に係る隠匿ハガキの第２実施形態の表面を示す全体平面図である。
【図９】本発明に係る隠匿ハガキの第２実施形態の使用方法において、往信ハガキの形態とするための作業を示す全体斜視図である。
【図１０】本発明に係る隠匿ハガキの第２実施形態の使用方法において、往信ハガキの形態を示す全体平面図である。
【図１１】図１０のＸＩ−ＸＩ線に沿う断面図である。
【図１２】本発明に係る隠匿ハガキの第２実施形態の使用方法において、全体を展開した状態を示す全体平面図である。
【図１３】本発明に係る隠匿ハガキの第２実施形態の使用方法において、返信ハガキの形態とするための作業を示す全体斜視図である。
【図１４】本発明に係る隠匿ハガキの第２実施形態の使用方法において、返信ハガキの形態を示す全体平面図である。
【図１５】本発明に係る隠匿ハガキの第２実施形態の使用方法において、帯状片を切り取る作業を示す全体斜視図である。
【図１６】本発明に係る隠匿ハガキの第２実施形態の使用方法において、隠匿情報領域が視認可能である状態を示す全体平面図である。
【図１７】従来の隠匿ハガキの一例を示す全体平面図である。
【符号の説明】
【００４７】
Ａ１，Ａ２  隠匿ハガキ
Ａ２’      返信ハガキ
１Ａ        第１紙片
１Ｂ        第２紙片
１Ｃ        第３紙片
１Ａａ，１Ｂａ，１Ｃａ  表面
１Ａｂ，１Ｂｂ，１Ｃｂ  裏面
１Ｃｃ      斜辺
２          隠匿情報領域
３          宛先領域
３Ａ        往信用宛先領域
３Ｂ        返信用宛先領域
４          再接着糊
１１        ミシン目（折り曲げ容易部、折り曲げ切断容易部）
１２        切り取り容易部
１２ａ      帯状片
２１        隠匿情報
【図１】
2007062039.tif 000003
【図２】
2007062039.tif 000004
【図３】
2007062039.tif 000005
【図４】
2007062039.tif 000006
【図５】
2007062039.tif 000007
【図６】
2007062039.tif 000008
【図７】
2007062039.tif 000009
【図８】
2007062039.tif 000010
【図９】
2007062039.tif 000011
【図１０】
2007062039.tif 000012
【図１１】
2007062039.tif 000013
【図１２】
2007062039.tif 000014
【図１３】
2007062039.tif 000015
【図１４】
2007062039.tif 000016
【図１５】
2007062039.tif 000017
【図１６】
2007062039.tif 000018
【図１７】
2007062039.tif 000019